(57)【要約】【目的】地図更新対象エリア以外でもユーザが将来行く可能性が高いエリアを地図データ更新エリアに含めるようにする「ナビゲーション装置の地図データ更新方法」を提供すること。【構成】目的地や立ち寄り通過地点として設定された施設のジャンルを識別してジャンル毎に計数し、最新地図データ要求に際して、前記計数値が設定値以上のジャンルを求め、該ジャンルの施設であって、地図更新対象エリアから設定距離内に存在する施設が属するエリアを地図更新対象エリアに含める。【選択図】        図２
2005147864.tif 000002
【特許請求の範囲】
【請求項１】
過去に通過したエリアを地図更新対象エリアとして該エリアの最新地図データを通信により地図情報供給センターから受信し、該最新地図データで保持している古い地図データを更新するナビゲーション装置の地図データ更新方法において、
設定された目的地や立ち寄り通過地点における施設のジャンルを識別してジャンル毎に計数し、
最新地図データ要求に際して、前記計数値が設定値以上のジャンルを求め、
該ジャンルの施設であって、前記地図更新対象エリア外に存在し、該地図更新対象エリアから設定距離内に存在する施設が属するエリアを前記地図更新対象エリアに含める、
ことを特徴とするナビゲーション装置の地図データ更新方法。
【請求項２】
お勧め施設を取得し、前記地図更新対象エリア外に存在し、該地図更新対象エリアから設定距離内に存在するお勧め施設が属するエリアを前記地図更新対象エリアに含める、
ことを特徴とする請求項１記載のナビゲーション装置の地図データ更新方法。
【発明の詳細な説明】
【技術分野】
【０００１】
本発明はナビゲーション装置の地図データ更新方法に係わり、特に、地図提供センターより最新の地図データを受信して保持している古い地図データを更新するナビゲーション装置の地図データ更新方法に関する。
【背景技術】
【０００２】
従来のナビゲーションシステムにおいてディジタル地図データは読込専用メディアであるＣＤ(コンパクトディスク)やＤＶＤ(ディジタルバーサタイルディスク)などから供給されていた。このため、ディスク上の地図データが古くなっても更新することができず、最新の地図データが書込まれた高価なディスクを購入して交換せざるを得なかった。
近年、通信技術の発展によりインターネットを介して地図データを配信でき、しかも、書き換え可能なハードディスク（HDD）を地図データ記録媒体として利用できるようになっている。このため、ナビゲーション装置が地図提供センターより最新の地図データを受信してハードディスクに記憶されている古い地図データを更新することが行なわれている。しかし、全地図データを書き替えるとなると通信費用が高額になる問題がある。このため、それまでに通過した地点等のの履歴を保存しておき、該地点を含むエリアに応じた地図データだけを更新することにより、更新する地図データ量を削減することが行なわれている(たとえば特許文献１参照)。すなわち、過去の走行履歴情報、登録地点情報、案内経路履歴情報、画面表示指定履歴情報を保存しておき、これらの情報を用いて更新すべきエリアを決定し、該エリアの地図データを地図提供センターに要求し、最新の地図データを受信して前記エリアの地図データのみを更新する。
【特許文献１】特開２０００−１２１３７１号公報
【発明の開示】
【発明が解決しようとする課題】
【０００３】
しかし、上記従来技術において更新されるのは、あくまでもユーザが過去に利用したエリアの地図データである。このため、今まで行ったことのない目的地に行きたい場合には最新の地図データを利用することができない問題がある。最新の地図データを用いるためには前記目的地までの経路を含むエリアの地図データを別途地図提供センターに要求して更新する必要があり、経路探索までに時間を要する問題がある。
以上から本発明の目的は、ユーザが過去に利用したエリアを更新対象エリアとして地図データの更新を行う場合、該更新対象エリア以外でもユーザが将来行く可能性が高いエリアを把握して該エリアを地図データ更新エリアに含めるようにすることである。
【課題を解決するための手段】
【０００４】
第1の発明は、過去に通過したエリアを地図更新対象エリアとして該エリアの最新地図データを通信により地図情報供給センターから受信し、該最新地図データで保持している古い地図データを更新するナビゲーション装置の地図データ更新方法であり、設定された目的地や立ち寄り通過地点における施設のジャンルを識別してジャンル毎に計数し、最新地図データ要求に際して、前記計数値が設定値以上のジャンルを求め、該ジャンルの施設であって、前記地図更新対象エリア外に存在し、該地図更新対象エリアから設定距離内に存在する施設が属するエリアを前記地図更新対象エリアに含めるナビゲーション装置の地図データ更新方法である。
第2の発明は第１の発明において、お勧め施設を取得し、前記地図更新対象エリア外に存在し、該地図更新対象エリアから設定距離内に存在するお勧め施設が属するエリアを前記地図更新対象エリアに含めるナビゲーション装置の地図データ更新方法である。
【発明の効果】
【０００５】
本発明によれば、履歴が多いジャンルで人気の高い施設が存在するエリアを地図データ更新エリアに含めることで、「今まで行ったことはないが、将来行く可能性が高い施設」をユーザが目的地に設定したとき、最新の地図データを用いて経路探索ができ、しかも探索された経路に沿って最新の地図データを用いて地図表示ができる。すなわち、本発明によれば、今までに行ったことがない施設であっても、該施設までの経路を含むエリアの地図データを別途データ更新する手間がなくなり、まるでユーザの心理を読んだかのようなストレスのない経路案内が可能となる。
又、本発明によれば、お勧め施設をユーザが目的地として設定したとき、最新の地図データを用いてお勧め施設までの経路探索ができ、しかも探索された経路に沿って最新の地図データを用いて地図表示ができる。
【発明を実施するための最良の形態】
【０００６】
本発明は、過去に通過したエリアを地図更新対象エリアとして該エリアの最新地図データを通信により地図情報供給センターから受信し、該最新地図データで保持している古い地図データを更新する。この地図データ更新に際して、ナビゲーション装置は、予め目的地や立ち寄り通過地点が設定されたとき、これら地点における施設のジャンルを識別してジャンル毎に計数しておき、計数値が設定値以上のジャンルの施設であって、前記地図更新対象エリア外に存在し、該地図更新対象エリアから設定距離内に存在する施設が属するエリアを前記更新対象エリアに含めて地図データを更新する。このようにすれば、今まで行ったことはない施設をユーザが目的地に設定したとき、最新の地図データを用いて経路探索ができ、しかも探索された経路に沿って最新の地図データを用いて地図表示ができる。
【実施例１】
【０００７】
図1は本発明のシステム構成図であり、車載ナビゲーション装置１１は移動電話網により基地局（BS）１２と通信可能であり、基地局１2はインターネット(IP網)１3を介して地図提供センター１４と通信可能になっている。ナビゲーション装置１１は必要に応じて地図提供センター１4に接続し、該センターより最新の地図データを取得してハードディスク(ＨＤＤ)に記憶されて古い地図データを更新する。
地図提供センター１４は、インターネット１３との通信を司る通信インターフェース１４ａ、地図データを記憶する地図データべース１４ｂ、要求された地図データを地図データべース１４ｂから読み取ってナビゲーション装置１１に配信する処理部１４ｃを備えている。
【０００８】
図2はナビゲーション装置の構成図であり、通信装置２１、通信インターフェース２２、ナビゲーション制御部２３、車両位置検出装置２４、操作部２５、地図データを保存するハードディスク(ＨＤＤ)２６、地図画像発生部２７、表示装置２８を備えている。
ナビゲーション制御部２３は、コンピュータ構成になっており、（１）車両位置に応じた地図データをハードディスク２６から読み取って地図画像発生部２７に入力する地図読み出し処理部３１、（２）目的地までの経路を探索して誘導する経路探索／経路誘導処理部３２、（３）古い地図データを最新の地図データで更新するための処理を行なう地図更新処理部３３と、(４)情報記憶部３４を備えている。情報記憶部３４には、（１）探索された誘導経路情報GPINF、（２）目的地や立ち寄り通過地点として設定された施設(ジャンル)のジャンル設定回数情報JCINF、（３）ハードディスクから地図表示のために読み出された地図（図葉）の読み出し回数情報MCINFが格納されている。ジャンル設定回数情報JCINFは、図示するようにジャンル(施設)ＩＤと該ジャンルの施設が目的地あるいは通過点として設定された回数の対応表であり、地図読み出し回数情報MCINFは読み出された地図(図葉)の図葉番号と読み出し回数の対応表である。地図(図葉)が表示のために読み出されたということは、該図葉に応じたエリアに車両が進入して通過したことを意味する。
【０００９】
図3はジャンル設定回数情報JCINFの作成処理フローであり、地図更新処理部３３は、ジャンル別設定により目的地あるいは立ち寄り通過点が設定されれば(ステップ１０１)、設定されたジャンルの設定回数を1カウントアップして保存する(ステップ１０２)。以後、目的地あるいは立ち寄り通過点がジャンル別で設定される毎に上記処理を繰り替えしてジャンル設定回数情報JCINFを作成して保存する。
【００１０】
図４は地図読み出し回数情報MCINFの作成処理フローであり、地図読み出し処理部３１は、車両位置を監視し(ステップ２０１)、表示地図を変更する必要が生じたかチェックし(ステップ２０２)、表示地図を変更する必要が生じれば車両進行方向において現表示地図に隣接する地図(図葉)をハードディスク２６から読み出して地図画像発生部２７に入力する(ステップ２０３)。ついで、地図読み出し処理部３１は、該読み出した地図（図葉）の読み出し回数をカウントアップし(ステップ２０４)、地図画像発生部２７は入力された地図を描画する(ステップ２０５)。以後、上記動作を繰返して地図読み出し回数情報MCINFを作成する。
【００１１】
図5は地図更新処理フローである。
地図更新処理部３３は、操作部２５から地図更新が指示されると(ステップ３０１)、地図読み出し回数情報MCINFを参照して設定回数(たとえば1回)以上表示された地図、すなわち、設定回数以上通過されたエリアに応じた地図の図葉番号をリストアップする(ステップ３０２)。ついで、ジャンル設定回数情報JCINFを参照して、目的地や通過点の設定に予め定めた回数(たとえば2回)以上設定されたジャンルがあるか、換言すればユーザお好みジャンルが存在するかチェックする(ステップ３０３)。
存在すれば、該ジャンルの施設であって、ステップ３０２でリストアップされた地図図葉が特定するエリアＡＲ１(図6参照)の外側で、かつ、該エリアから設定距離以内の施設を求める(ステップ３０４)。なお、図６において、ＡＲ１はリストアップされた地図図葉ＭＰ11〜ＭＰ1nが特定するエリア、POIは設定回数以上利用されたジャンル(施設)、ＰＯＩ′はエリアＡＲ1外の該ジャンル(施設)であって、該エリアＡＲ１から設定距離以内の施設、ＡＲ２は施設ＰＯＩ′までの地図図葉ＭＰ２１，ＭＰ２２で構成されたエリアである。
【００１２】
ついで、地図更新処理部３３は、施設ＰＯＩ′までの地図図葉ＭＰ２１，ＭＰ２２を求め、更新用地図としてステップ３０２で求めたリストに含める(ステップ３０５)。
しかる後、リストされた全ての図葉番号を含めて地図提供センター１４に最新地図の要求を送り(ステップ３０６)、該センターより最新地図を受信し、ハードディスク２６に記憶されている古い地図データを更新する(ステップ３０７)。
【００１３】
・変形例
以上では入力された回数が多いジャンル(施設)に着目したが、お勧め施設(おいしいラーメン店など)として別途入力されている施設に着目して同様の処理を行なうことができる。すなわち、地図更新対象エリア外に存在し、該更新対象エリアから設定距離内に存在するお勧め施設を含むエリアを更新対象エリアに含めるように構成することもできる。
また、以上では地図読み出し回数を履歴情報として保存したが、過去の車両位置、過去の地点登録、過去の案内経路、または、過去の画面表示指定地点等を履歴情報として保存することもできる。
【図面の簡単な説明】
【００１４】
【図１】本発明のシステム構成図である。
【図２】ナビゲーション装置の構成図である。
【図３】ジャンル設定回数情報JCINFの作成処理フローである。
【図４】地図読み出し回数情報MCINFの作成処理フローである。
【図５】地図更新処理フローである。
【図６】本発明の地図更新処理説明図である。
【符号の説明】
【００１５】
２１  通信装置
２３  ナビゲーション制御部
２４  車両位置検出装置
２５  操作部
２６  ハードディスク(ＨＤＤ)
２７  地図画像発生部
２８  表示装置
３1  地図読み出し処理部
３２  経路探索／経路誘導処理部
３３  地図更新処理部
３４  情報記憶部
GPINF  誘導経路情報
JCINF  ジャンル設定回数情報
MCINF  地図読み出し回数情報
【図１】
2005147864.tif 000003
【図２】
2005147864.tif 000004
【図３】
2005147864.tif 000005
【図４】
2005147864.tif 000006
【図５】
2005147864.tif 000007
【図６】
2005147864.tif 000008